(57)【特許請求の範囲】
【請求項１】
後端部にオープンバレル状の電線接続部を有する端子金具と、前記電線接続部に対し包囲された状態で圧着により接続された電線とを備えて構成され、
前記電線接続部は、前記電線のうち前端部の絶縁被覆を除去して露出させた芯線が圧着されるワイヤバレル部と、前記電線のうち前記絶縁被覆で覆われている部分が圧着されるインシュレーションバレル部とから構成され、
前記インシュレーションバレル部の後端からは、前記電線の前記絶縁被覆で覆われている部分が後方へ導出されている電線付き端子金具において、
前記絶縁被覆と前記インシュレーションバレル部との間が、前記インシュレーションバレル部の内面全体に塗布されたシール剤によって液密状にシールされ、
さらに、前記ワイヤバレル部、前記芯線の露出部分及び前記インシュレーションバレル部が防食用液剤にて覆われていることを特徴とする電線付き端子金具。
【請求項２】
前記シール剤が、前記防食用液剤と同じ材料からなることを特徴とする請求項１記載の電線付き端子金具。
【発明の詳細な説明】
【技術分野】
【０００１】
本発明は、電線付き端子金具に関するものである。
【背景技術】
【０００２】
特許文献１には、角筒状をなす端子接続部とオープンバレル状をなす電線接続部とを備えた端子金具と、芯線が端子金具とは異種金属からなる電線とを備えて構成され、電線接続部に、電線が包囲された状態で圧着により接続されている電線付き端子金具が開示されている。
【０００３】
電線接続部は、電線のうち前端部の絶縁被覆を除去して露出させた芯線が圧着されるワイヤバレル部と、電線のうち絶縁被覆で覆われている部分が圧着させるインシュレーションバレル部とから構成され、インシュレーションバレル部の後端からは、電線の絶縁被覆で覆われている部分が後方へ導出されている。
【０００４】
このように電線の芯線と端子金具が異種金属である場合には、芯線とワイヤバレル部との接触部分における電食の発生を防止する必要がある。電食防止手段の１つとして、芯線の露出部分とワイヤバレル部とインシュレーションバレル部とを全体的に覆うように、防食用液剤を塗布する方法が考えられる。
【先行技術文献】
【特許文献】
【０００５】
【特許文献１】特開２００７−３０５３５６号公報
【発明の概要】
【発明が解決しようとする課題】
【０００６】
インシュレーションバレル部の後方においては、電線が曲げられて配索されたり、電線が外力を受けて曲げられたときに、絶縁被覆の外周と防食用液剤との間に隙間が生じる虞がある。この場合、絶縁被覆と防食用液剤との隙間に浸入した水分が、絶縁被覆とインシュレーションバレル部との隙間を経由して、芯線とワイヤバレル部との接触部分に達し、電食を生じさせることが懸念される。
【０００７】
本発明は上記のような事情に基づいて完成されたものであって、芯線とワイヤバレル部との接触部分への浸水を防止することを目的とする。
【課題を解決するための手段】
【０００８】
上記の目的を達成するための手段として、請求項１の発明は、後端部にオープンバレル状の電線接続部を有する端子金具と、前記電線接続部に対し包囲された状態で圧着により接続された電線とを備えて構成され、前記電線接続部は、前記電線のうち前端部の絶縁被覆を除去して露出させた芯線が圧着されるワイヤバレル部と、前記電線のうち前記絶縁被覆で覆われている部分が圧着されるインシュレーションバレル部とから構成され、前記インシュレーションバレル部の後端からは、前記電線の前記絶縁被覆で覆われている部分が後方へ導出されている電線付き端子金具において、前記絶縁被覆と前記インシュレーションバレル部との間が、前記インシュレーションバレル部の内面全体に塗布されたシール剤によって液密状にシールされ、さらに、前記ワイヤバレル部、前記芯線の露出部分及び前記インシュレーションバレル部が防食用液剤にて覆われているところに特徴を有する。
【０００９】
請求項２の発明は、請求項１に記載のものにおいて、前記シール剤が、前記防食用液剤と同じ材料からなるところに特徴を有する。
【発明の効果】
【００１１】
＜請求項１の発明＞
インシュレーションバレル部は金属で形成されていて容易に変形しないので、電線のうちインシュレーションバレル部内に圧着されている部分は変形を生じる虞がなく、電線の変形が原因となってシール剤と絶縁被覆との間に隙間が生じることが防止される。これにより、絶縁被覆とインシュレーションバレル部との間は、シール剤によって液密状態に保持され、絶縁被覆とインシュレーションバレル部との隙間を経由してワイヤバレル部と芯線との接触部分に浸水することを防止できる。
また、インシュレーションバレル部とワイヤバレル部と芯線の露出部分を防食用液剤で覆ったので、インシュレーションバレル部の外面を経由して芯線とワイヤバレル部との接触部分に浸水することを防止できる。
【００１３】
＜請求項２の発明＞
シール剤が、圧着時の圧縮作用によって絶縁被覆とインシュレーションバレル部との間から前方へ押し出されて芯線に接触しても、シール剤と芯線との接触部分において電食が発生する虞はない。
【図面の簡単な説明】
【００１４】
【図１】実施形態１において電線付き端子金具をコネクタハウジングに挿入した状態をあらわす断面図
【図２】電線付き端子金具の側面図
【図３】電線を圧着する前の状態をあらわす端子金具の斜視図
【発明を実施するための形態】
【００１５】
＜実施形態１＞
以下、本発明を具体化した実施形態１を図１乃至図３を参照して説明する。本実施形態の電線付き端子金具Ｔは、端子金具１０と、端子金具１０の後端部に導通可能に接続された電線３０とを備えて構成されており、コネクタハウジングＨ内に挿入されるようになっている。
【００１６】
端子金具１０は、銅又は銅合金からなり、所定の形状に打ち抜いた金属板材に曲げ加工等を施すことによって所定の形状に成形した単一部品である。端子金具１０は、端子接続部１１と電線接続部１５と連結部２１とを有しており、全体として前後方向に細長い雌形の端子である。
【００１７】
端子接続部１１は、角筒状をなす周知の形態のものであり、端子金具１０の前端部に配置されている。端子接続部１１の内部には弾性接触片１２が設けられており、前方から端子接続部１１内に挿入された雄形の相手側端子（図示省略）は、弾性接触片１２と端子接続部１１の上面壁１３との間で弾性的に上下に挟み付けられ、もって、相手側端子と端子金具１０とが導通可能に接続されるようになっている。
【００１８】
電線接続部１５は、オープンバレル状をなす周知の形態のものであり、端子金具１０の後端部に配置されている。電線接続部１５の前端側領域はワイヤバレル部１６となっており、後端側領域はインシュレーションバレル部１７となっている。ワイヤバレル部１６は、板状の基底部１８と、基底部１８の左右両側縁から一対の前部カシメ片１９を立ち上げた形態であり、インシュレーションバレル部１７は、ワイヤバレル部１６と共有する基底部１８の左右両側縁から、ワイヤバレル部１６の前部カシメ片１９とは独立した一対の後部カシメ片２０を立ち上げた形態である。
【００１９】
連結部２１は、前後方向に細長い基板部２２の両側縁から、前後方向に細長い一対の側板部２３を立ち上げた形態であって、連結部２１内には、上面側及び前後両端面側に開放された空間が構成され、全体として箱状をなしている。連結部２１は、端子接続部１１の後端部と電線接続部１５（ワイヤバレル部１６）の前端部とに連なっている。即ち、基板部２２の前端は端子接続部１１の底面壁２４の後端に対して面一状に連なっており、基板部２２の後端は電線接続部１５の基底部１８の前端に対して面一状に連なっている。また、側板部２３の前端は端子接続部１１の側面壁２５の後端に対して面一状に連なっており、側板部２３の後端はワイヤバレル部１６の前部カシメ片１９の前端に対して面一状に連なっている。基板部２２からの側板部２３の立ち上がり寸法（側板部２３の高さ寸法）は、端子接続部１１の側面壁２５よりも低い。
【００２０】
電線３０は、端子金具１０とは異なる金属、即ちアルミニウム又はアルミニウム合金からなる複数本の素線（図示省略）を撚り合わせた芯線３１を、絶縁被覆３２で包囲した周知の形態のものである。電線３０の前端部は、絶縁被覆３２が除去されて芯線３１が露出された状態となっている。かかる電線３０の前端部は、電線接続部１５に圧着により接続されている。圧着に際しては、基底部１８に電線３０の前端部を載置し、ワイヤバレル部１６の前部カシメ片１９を芯線３１に巻き付けて包囲するようにしてカシメ付けると同時に、インシュレーションバレル部１７の後部カシメ片２０を電線３０のうち絶縁被覆３２で覆われている部分の前端部領域に巻き付けて包囲するようにしてカシメ付ける。このようにして圧着されることにより、芯線３１と電線接続部１５とが導通可能に固着されるとともに、絶縁被覆３２が覆われている部分が電線接続部１５に対して移動規制された状態で固着される。
【００２１】
芯線３１の露出部分の長さはワイヤバレル部１６よりも長いので、電線３０と電線接続部１５とを圧着接続した状態では、芯線３１の露出部分の前端部は、ワイヤバレル部１６の前方へ露出して連結部２１内に収容されており、芯線３１の露出部分の後端部は、ワイヤバレル部１６よりも後方であってインシュレーションバレル部１７よりも前方の領域で露出している。電線３０のうち絶縁被覆３２で覆われている部分の前端部は、インシュレーションバレル部１７の前端よりも前方に露出しており、電線３０における芯線３１の露出部分と絶縁被覆３２で覆われている部分との境界は、ワイヤバレル部１６とインシュレーションバレル部１７との間に位置している。また、インシュレーションバレル部１７（端子金具１０）の後端からは、電線３０の絶縁被覆３２で覆われている部分が後方へ導出されている。
【００２２】
電線接続部１５と電線３０との接続部分においては、芯線３１と電線接続部１５とが異種金属であるため、芯線３１とワイヤバレル部１６との接触部分に水がかかると、その接触部分に電食が生じる虞がある。そのため、電食防止の対策として、電線接続部１５と芯線３１との接触部分は防食用液剤４０で覆われている。防食用液剤４０の一例としては、常温よりも高い温度にすると粘度が低く、常温では粘度が高くなる性質のものを用いることができる。芯線３１に塗布された防食用液剤４０は、素線のうち芯線３１の外周面に露出しているものの外面を液密状に覆い、素線間の隙間に浸入して素線間を液密状にシールし、さらに芯線３１とワイヤバレル部１６との隙間に浸入して芯線３１とワイヤバレル部１６との間を液密状にシールする。
【００２３】
防食用液剤４０の前後方向における塗布範囲は、電線３０の前端から、インシュレーションバレル部１７の前後両端のほぼ中央位置に亘っている。即ち、芯線３１の露出部分は、ワイヤバレル部１６に圧着（接触）している部分と、ワイヤバレル部１６の前後両方へ露出している部分との両方（露出部分の全体）に亘って防食用液剤４０で覆われている。また、電線３０のうち絶縁被覆３２で覆われている部分については、インシュレーションバレル部１７の前端から前方へ露出している部分のみが防食用液剤４０で覆われている。また、電線接続部１５の外面における防食用液剤４０の塗布範囲は、電線接続部１５の全周に亘っており、電線接続部１５よりも前方では防食用液剤４０は連結部２１の内部に収容されている。この防食用液剤４０の塗布により、電線付き端子金具Ｔのうちインシュレーションバレル部１７の後端よりも前方の領域に水分が付着しても、その水分が芯線３１とワイヤバレル部１６との接触部分に浸入することが防止される。
【００２４】
また、本実施形態では、インシュレーションバレル部１７の後方において電線３０の表面に付着した水分が、電線３０とインシュレーションバレル部１７との隙間を経由して、芯線３１とワイヤバレル部１６との接触部分に浸入することを確実に防止する手段が講じられている。即ち、電線３０のうち絶縁被覆３２で覆われている部分の外周面とインシュレーションバレル部１７の内面との間は、全周に亘ってシール剤４１で埋められている。電線付き端子金具Ｔの製造過程では、シール剤４１は、電線３０の圧着前に予めインシュレーションバレル部１７の内面全体に塗布しておき、シール剤４１を塗布した状態で電線３０の圧着を行う。
【００２５】
インシュレーションバレル部１７は金属で形成されていて容易に変形しないので、電線３０のうちインシュレーションバレル部１７内に圧着されている部分も変形を生じる虞がない。したがって、電線３０の変形が原因となってシール剤４１と絶縁被覆３２との間に隙間が生じることが防止されている。これにより、絶縁被覆３２とインシュレーションバレル部１７との間は、シール剤４１によって液密状態にシールされている。したがって、インシュレーションバレル部１７の後方において電線３０（絶縁被覆３２）の表面に水分が付着しても、その水分が絶縁被覆３２とインシュレーションバレル部１７との隙間を経由してワイヤバレル部１６と芯線３１との接触部分に浸水する、ということはない。
【００２６】
また、インシュレーションバレル部１７の方向で電線３０に付着した水分が、前方へ移動しても、その水分は、インシュレーションバレル部１７の外面を伝い、更に防食用液剤４０の外面を伝うだけであるから、芯線３１とワイヤバレル部１６との接触部分に到達することはない。以上のように、本実施形態によれば、芯線３１とワイヤバレル部１６との接触部分における電食の発生を確実に防止することができる。
【００２７】
また、シール剤４１は防食用液剤４０と同じ材料からなっている。したがって、シール剤４１が、インシュレーションバレル部１７の圧着時における圧縮作用によって絶縁被覆３２とインシュレーションバレル部１７との間から前方へ押し出されて芯線３１に接触しても、シール剤４１は防食効果を発揮する。これにより、シール剤４１が芯線３１に接触しても、その接触部分における電食の発生が防止されている。
【００２８】
＜他の実施形態＞
本発明は上記記述及び図面によって説明した実施形態に限定されるものではなく、例えば次のような実施形態も本発明の技術的範囲に含まれる。
（１）上記実施形態では、シール剤を防食用液剤と同じ材料としたが、シール剤は防食用液剤と異なる材料であってもよい。
（２）上記実施形態では、電線の芯線と端子金具とを異種金属としたが、本発明は、芯線と端子金具が同種の金属である場合にも適用できる。
（３）上記実施形態では、防食用液剤の前後方向における塗布範囲をインシュレーションバレル部の後端よりも前方の領域としたが、防食用液剤は、インシュレーションバレル部の後端よりも後方の領域に亘って塗布してもよい。つまり、絶縁被覆のうちインシュレーションバレル部よりも後方の領域を覆うように塗布してもよい。この場合、シール剤の塗布領域の全体が、防食用液剤で覆われることになる。
【符号の説明】
【００２９】
Ｔ…電線付き端子金具
１０…端子金具
１５…電線接続部
１６…ワイヤバレル部
１７…インシュレーションバレル部
３０…電線
３１…芯線
３２…絶縁被覆
４１…シール剤
４０…防食用液剤
【図１】
0005387477.tif 000002
【図２】
0005387477.tif 000003
【図３】
0005387477.tif 000004